(57)【要約】【課題】忙しい利用者であっても十分に健康管理を行うことができ、利用者の健康に異変を検出した場合に正常に戻すための対策を図ることができるようにする。【解決手段】健康管理システムは、利用者の運動メニューに対応するアプリケーションプログラムを搭載する携帯端末と、利用者の健康を管理するための処理を実行する健康管理装置とを備え、健康管理装置は、運動後に測定した利用者の生体情報の測定値と、予め予測した利用者の運動後の生体情報の予測値との差が所定値を超えるか否かを判定する生体情報判定手段を含み、携帯端末は、生体情報判定手段が測定値と予測値との差が所定値を超えると判定すると、アプリケーションプログラムの設定を変更する設定変更手段を含む。【選択図】図６
2009169673.tif 000002
【特許請求の範囲】
【請求項１】
利用者の運動メニューに対応するアプリケーションプログラムを搭載する携帯端末と、
利用者の健康を管理するための処理を実行する健康管理装置とを備え、
前記健康管理装置は、運動後に測定した利用者の生体情報の測定値と、予め予測した利用者の運動後の生体情報の予測値との差が所定値を超えるか否かを判定する生体情報判定手段を含み、
前記携帯端末は、前記生体情報判定手段が前記測定値と前記予測値との差が所定値を超えると判定すると、前記アプリケーションプログラムの設定を変更する設定変更手段を含む
ことを特徴とする健康管理システム。
【請求項２】
健康管理装置は、
生体情報判定手段が測定値と予測値との差が所定値を超えると判定すると、携帯端末が搭載するアプリケーションプログラムの設定の変更を指示するための設定変更指示情報を生成する設定変更指示情報生成手段と、
前記設定変更指示情報生成手段が生成した前記設定変更指示情報を、通信ネットワークを介して前記携帯端末に送信する設定変更指示情報送信手段とを含み、
設定変更手段は、前記健康管理装置から受信した前記設定変更指示情報に基づいて、前記アプリケーションプログラムの設定を変更する
請求項１記載の健康管理システム。
【請求項３】
健康管理装置は、
生体情報判定手段が測定値と予測値との差が所定値を超えると判定すると、所定のアラームを報知することを指示する報知指示情報を生成する報知指示情報生成手段と、
前記報知指示情報生成手段が生成した前記報知指示情報を、通信ネットワークを介して携帯端末に送信する報知指示情報送信手段とを含み、
前記携帯端末は、前記健康管理装置から受信した前記報知指示情報に基づいて、所定のアラームを報知する報知手段を含む
請求項１又は請求項２記載の健康管理システム。
【請求項４】
携帯端末は、
運動後に測定した利用者の生体情報の測定値を取得する測定値取得手段と、
前記測定値取得手段が取得した前記測定値を、通信ネットワークを介して健康管理装置に送信する測定値送信手段とを含み、
前記健康管理装置は、予め予測した利用者の運動後の生体情報の予測値を記憶する予測値記憶手段を含み、
生体情報判定手段は、前記携帯端末から受信した前記測定値と、前記予測値記憶手段が記憶する前記予測値との差が所定値を超えるか否かを判定する
請求項１から請求項３のうちのいずれか１項に記載の健康管理システム。
【請求項５】
携帯端末は、
利用者の運動量を測定する運動量測定手段と、
前記運動量測定手段が測定した運動量を、通信ネットワークを介して健康管理装置に送信する運動量送信手段とを含み、
前記健康管理装置は、前記携帯端末から受信した運動量を蓄積する運動量蓄積手段を含む
請求項１から請求項４のうちのいずれか１項に記載の健康管理システム。
【請求項６】
利用者の健康を管理するための処理を実行する健康管理装置であって、
運動後に測定した利用者の生体情報の測定値と、予め予測した利用者の運動後の生体情報の予測値との差が所定値を超えるか否かを判定する生体情報判定手段を
備えたことを特徴とする健康管理装置。
【請求項７】
生体情報判定手段が測定値と予測値との差が所定値を超えると判定すると、携帯端末が搭載するアプリケーションプログラムの設定の変更を指示するための設定変更指示情報を生成する設定変更指示情報生成手段と、
前記設定変更指示情報生成手段が生成した前記設定変更指示情報を、通信ネットワークを介して前記携帯端末に送信する設定変更指示情報送信手段とを備えた
請求項６記載の健康管理装置。
【請求項８】
健康管理装置が、運動後に測定した利用者の生体情報の測定値と、予め予測した利用者の運動後の生体情報の予測値との差が所定値を超えるか否かを判定するステップと、
利用者の運動メニューに対応するアプリケーションプログラムを搭載する携帯端末が、前記測定値と前記予測値との差が所定値を超えると判定されると、前記アプリケーションプログラムの設定を変更するステップとを
含むことを特徴とする健康管理方法。
【請求項９】
健康管理装置が、測定値と予測値との差が所定値を超えると判定すると、携帯端末が搭載するアプリケーションプログラムの設定の変更を指示するための設定変更指示情報を生成するステップと、
前記健康管理装置が、生成した前記設定変更指示情報を、通信ネットワークを介して前記携帯端末に送信するステップと、
前記携帯端末が、前記健康管理装置から受信した前記設定変更指示情報に基づいて、前記アプリケーションプログラムの設定を変更するステップとを含む
請求項８記載の健康管理方法。
【請求項１０】
利用者の健康を管理するための健康管理用プログラムであって、
コンピュータに、
運動後に測定した利用者の生体情報の測定値と、予め予測した利用者の運動後の生体情報の予測値との差が所定値を超えるか否かを判定する処理を
実行させるための健康管理用プログラム。
【請求項１１】
コンピュータに、
測定値と予測値との差が所定値を超えると判定すると、携帯端末が搭載するアプリケーションプログラムの設定の変更を指示するための設定変更指示情報を生成する処理と、
生成した前記設定変更指示情報を、通信ネットワークを介して前記携帯端末に送信する処理とを実行させる
請求項１０記載の健康管理用プログラム。
【発明の詳細な説明】
【技術分野】
【０００１】
本発明は、健康を維持／管理するための健康管理システム、健康管理装置、健康管理方法、及び健康管理用プログラムに関する。
【背景技術】
【０００２】
健康の維持／管理を行う場合、例えば、スポーツクラブ等において、トレーナにプログラム（エクササイズのプログラム）を組んでもらい、プログラムに従って運動（例えば、エクササイズ）することが行われている。そして、運動後の結果（例えば、運動後の体重や血圧、脈拍等の生体情報）の推移を紙等のカルテに運動を行う毎に記入し、利用者の健康状態を管理する。
【０００３】
また、利用者の健康の維持／管理を行うためのシステムとして、例えば、特許文献１には、健康情報管理装置が利用者の携帯端末から健康情報を受信して蓄積し、利用者の健康状態を管理する健康情報管理方法が記載されている。特許文献１に記載された方法では、健康情報管理装置は、携帯端末から受信した健康情報の値が予め設定した上限値を超えている場合には、警告文を作成して携帯端末に送信することによって、利用者に健康に対する注意を促す。
【０００４】
【特許文献１】特開２００５−４５６９６号公報（段落００５１−００５２）
【発明の開示】
【発明が解決しようとする課題】
【０００５】
スポーツクラブ等でのエクササイズを利用して健康管理を行う場合、定期的にスポーツクラブに行き、所定のプログラムに従った運動を行うための時間を確保しなければならず、利用者の手間と時間的なコストがかかる。そのため、忙しい利用者の場合、トレーナのアドバイスを受けて必ずしもいつでも運動することはできず、十分に健康管理を行うことはできない。
【０００６】
特許文献１に記載された方法を用いれば、携帯端末を利用して利用者の健康管理を行うので、利用者が自宅にいるときでも手軽に健康管理を行うことができ、利用者の手間と時間的なコストをある程度軽減することができる。しかし、利用者の健康情報（例えば、体重や血圧、脈拍等の生体情報）の値に異変を検出した場合に警告文を送ることができるにすぎず、利用者の健康情報の値を正常に戻すための具体的な対策を図ることはできない。
【０００７】
そこで、本発明は、忙しい利用者であっても十分に健康管理を行うことができ、利用者の健康に異変を検出した場合に正常に戻すための対策を図ることができる健康管理システム、健康管理装置、健康管理方法、及び健康管理用プログラムを提供することを目的とする。
【課題を解決するための手段】
【０００８】
本発明による健康管理システムは、利用者の運動メニューに対応するアプリケーションプログラムを搭載する携帯端末と、利用者の健康を管理するための処理を実行する健康管理装置とを備え、健康管理装置は、運動後に測定した利用者の生体情報の測定値と、予め予測した利用者の運動後の生体情報の予測値との差が所定値を超えるか否かを判定する生体情報判定手段を含み、携帯端末は、生体情報判定手段が測定値と予測値との差が所定値を超えると判定すると、アプリケーションプログラムの設定を変更する設定変更手段を含むことを特徴とする。
【０００９】
本発明による健康管理装置は、利用者の健康を管理するための処理を実行する健康管理装置であって、運動後に測定した利用者の生体情報の測定値と、予め予測した利用者の運動後の生体情報の予測値との差が所定値を超えるか否かを判定する生体情報判定手段を備えたことを特徴とする。
【００１０】
本発明による健康管理方法は、健康管理装置が、運動後に測定した利用者の生体情報の測定値と、予め予測した利用者の運動後の生体情報の予測値との差が所定値を超えるか否かを判定するステップと、利用者の運動メニューに対応するアプリケーションプログラムを搭載する携帯端末が、測定値と予測値との差が所定値を超えると判定されると、アプリケーションプログラムの設定を変更するステップとを含むことを特徴とする。
【００１１】
本発明による健康管理用プログラムは、利用者の健康を管理するための健康管理用プログラムであって、コンピュータに、運動後に測定した利用者の生体情報の測定値と、予め予測した利用者の運動後の生体情報の予測値との差が所定値を超えるか否かを判定する処理を実行させるためのものである。
【発明の効果】
【００１２】
本発明によれば、忙しい利用者であっても十分に健康管理を行うことができ、利用者の健康に異変を検出した場合に正常に戻すための対策を図ることができる。
【発明を実施するための最良の形態】
【００１３】
以下、本発明の実施形態を図面を参照して説明する。まず、本発明による健康管理システムの概要について説明する。本発明において、健康管理システムが備える携帯通信端末は、加速度センサ等により構成されるエクササイズカウンタを搭載する。本発明では、このエクササイズカウンタ付き携帯通信端末とスポーツクラブが提供するサービスとを連携させる。
【００１４】
例えば、携帯通信端末は、利用者の毎日の運動量や生体情報（体重や血圧の変化）等のデータ（利用者データ）を、電子メールを用いて、健康管理システムが備えるセンタサーバに自動送信する。そして、センタサーバに送信された利用者データの推移を、携帯通信端末やパーソナルコンピュータ等の利用者端末を用いて、通信ネットワークを介してセンタサーバから取得することによって、利用者が随時確認できるようにする。
【００１５】
上記のようにすることによって、本発明では、スポーツクラブに行かなくても、空いた時間を利用して利用者が健康管理を行えるようにすることができる。
【００１６】
図１は、本発明による健康管理システムの構成の一例を示すブロック図である。図１に示すように、健康管理システムは、携帯端末（携帯通信端末）１００及びサーバ装置（センタサーバ）２００を含む。また、携帯端末１００とサーバ装置２００とは、インターネット等の通信ネットワーク３００を介して接続される。
【００１７】
携帯端末１００は、利用者によって保持される端末である。携帯端末１００は、具体的には、プログラム制御により動作する携帯電話機やＰＤＡ等の携帯型の情報処理装置によって実現される。なお、図１では、１つの携帯端末１００を示しているが、健康管理システムは、複数の携帯端末１００を含んでいてもよい。
【００１８】
サーバ装置２００は、スポーツクラブを運営する事業者によって設置される装置である。サーバ装置２００は、具体的には、プログラム制御により動作するワークステーションやパーソナルコンピュータ等の情報処理装置によって実現される。サーバ装置２００は、予め登録された利用者の運動量や生体情報を管理する機能を備える。
【００１９】
図２は、携帯端末１００の構成の一例を示すブロック図である。図２に示すように、携帯端末１００は、無線通信部１０１、放送受信部１０２、カメラ１０３、送話部１０４、受話部１０５、音声処理部１０６、表示部１０７、操作部１０８、センサ１０９、記憶部１１０及び制御部１１１を含む。
【００２０】
無線通信部１０１は、携帯端末１００が備えるアンテナ（図示せず）を介して、無線基地局装置との間で無線信号として情報を送受信する機能を備える。放送受信部１０２は、例えばワンセグ機能を用いて、放送局装置から送信される放送信号（映像や音声、情報データ）の受信処理を行う機能を備える。
【００２１】
カメラ１０３は、利用者の操作に従って被写体を撮影し画像情報を取得する機能を備える。送話部１０４は、具体的には、マイクロフォン等の音声入力装置によって実現され、利用者の音声を入力する機能を備える。受話部１０５は、具体的には、スピーカ等の音声出力装置によって実現され、受話音や楽音、報知音等の音声を出力する機能を備える。音声処理部１０６は、送話部１０４及び受話部１０５を用いて入出力される音声を音声処理する機能を備える。
【００２２】
表示部１０７は、具体的には、液晶表示部等の表示装置によって実現され、画像や図形、文字、記号等を情報表示出力する機能を備える。操作部１０８は、具体的には、テンキーやスクロールキー、十字キー、決定キー等の入力装置によって実現され、利用者の操作に従って携帯端末１００に対する情報入力を行う機能を備える。
【００２３】
センサ１０９は、具体的には、加速度センサ等によって実現され、携帯端末１００を保持する利用者が運動している状態（例えば、上下方向や左右方向に動作していること）を検出する機能を備える。
【００２４】
記憶部１１０は、具体的には、メモリ等の記憶装置によって実現される。記憶部１１０は、電話帳情報や送受信メール情報、発着呼情報、各種コンテンツ（例えば、映像や音楽）、各種アプリケーションプログラム、携帯端末１００の諸設定情報を格納する。
【００２５】
制御部１１１は、具体的には、プログラムに従って動作するＣＰＵ等によって構成される。制御部１１１は、電話による通話処理や、電子メールの送受信処理、インターネット等の通信ネットワーク３００接続処理、カメラ１０３による撮影処理、放送信号受信処理、コンテンツ再生処理、各種プログラムの実行処理を行う機能を備える。また、制御部１１１は、携帯端末１００が備えるその他の機能や各構成部１０１〜１１０を制御する機能を備える。
【００２６】
図３は、携帯端末１００の機能構成を示す機能ブロック図である。図３に示すように、携帯端末１００は、生体情報入力手段１５１、運動量測定手段１５２、メール生成手段１５３、メール送信手段１５４、報知メール／変更情報受信手段１５５、アプリケーション設定変更手段１５６、及びアラーム表示手段１５７を含む。
【００２７】
生体情報入力手段１５１は、具体的には、制御部１１１及び操作部１０８によって実現される。生体情報入力手段１５１は、利用者の操作に従って、利用者の運動後の生体情報（例えば、体重、血圧値、脈拍数）を入力する機能を備える。なお、携帯端末１００が血圧計や脈拍計等を内蔵する場合には、生体情報入力手段１５１は、これら血圧計や脈拍計が出力する生体情報を入力してもよい。
【００２８】
運動量測定手段１５２は、具体的には、制御部１１１及びセンサ１０９によって実現される。運動量測定手段１５２は、センサ１０９の検出値（例えば、加速度センサが検出する加速度）を入力する機能を備える。また、運動量測定手段１５２は、入力した検出値に基づいて、利用者の運動量を測定する機能を備える。例えば、運動量測定手段１５２は、センサ１０９の検出値が所定値以上であると判断すると、利用者が上下方向や左右方向に動作したと判定し、利用者の動作回数としてカウントする。
【００２９】
メール生成手段１５３は、具体的には、制御部１１１によって実現される。メール生成手段１５３は、生体情報入力手段１５１が入力した生体情報、及び運動量測定手段１５２が測定した運動量を含む電子メールを自動生成する機能を備える。
【００３０】
メール送信手段１５４は、具体的には、制御部１１１及び無線通信部１０１によって実現される。メール送信手段１５４は、メール生成手段１５３が自動生成した電子メールを、通信ネットワーク３００を介してサーバ装置２００に送信する機能を備える。
【００３１】
報知メール／変更情報受信手段１５５は、具体的には、制御部１１１及び無線通信部１０１によって実現される。報知メール／変更情報受信手段１５５は、所定のアラームを報知する旨の報知メールを、通信ネットワーク３００を介してサーバ装置２００から受信する機能を備える。また、報知メール／変更情報受信手段１５５は、携帯端末１００が搭載するアプリケーションプログラムの設定変更を指示する変更情報を、通信ネットワーク３００を介してサーバ装置２００から受信する機能を備える。
【００３２】
アプリケーション設定変更手段１５６は、具体的には、制御部１１１によって実現される。アプリケーション設定変更手段１５６は、報知メール／変更情報受信手段１５５が受信した変更情報に従って、携帯端末１００が搭載するアプリケーションプログラムの設定を変更する機能を備える。
【００３３】
アラーム表示手段１５７は、具体的には、制御部１１１及び表示部１０７によって実現される。アラーム表示手段１５７は、報知メール／変更情報受信手段１５５が受信した報知メールに従って、利用者の運動後の生体情報の値に異常がある旨を示すアラーム表示を行う機能を備える。
【００３４】
図４は、サーバ装置２００の機能構成を示す機能ブロック図である。図４に示すように、サーバ装置２００は、登録情報受信手段２０１、予測生体情報算出手段２０２、データベース２０３、メール受信手段２０４、比較手段２０５、報知メール／変更情報生成手段２０６、及び報知メール／変更情報送信手段２０７を含む。
【００３５】
登録情報受信手段２０１は、具体的には、プログラムに従って動作する情報処理装置のＣＰＵ及びネットワークインタフェース部によって実現される。登録情報受信手段２０１は、携帯端末１００の利用者の登録情報を、通信ネットワーク３００を介して携帯端末１００から受信する機能を備える。例えば、登録情報受信手段２０１は、登録情報として、利用者の運動メニューや、運動メニューに対応したアプリケーションプログラムを示す情報、利用者の平常時（運動していない状態）における生体情報を、携帯端末１００から受信する。また、登録情報受信手段２０１は、利用者を識別するための利用者ＩＤを生成し、受信した登録情報を利用者ＩＤに対応付けてデータベース２０３に記憶させる機能を備える。
【００３６】
予測生体情報算出手段２０２は、具体的には、プログラムに従って動作する情報処理装置のＣＰＵによって実現される。予測生体情報算出手段２０２は、利用者の運動後の生体情報の予測値を算出する機能を備える。例えば、予測生体情報算出手段２０２は、登録情報受信手段２０１が受信した登録情報に示される運動メニューや平常時の生体情報にもとづいて、利用者の運動後の生体情報の予測値を算出する。また、予測生体情報算出手段２０２は、算出した生体情報の予測値を、利用者ＩＤに対応付けてデータベース２０３に記憶させる機能を備える。
【００３７】
データベース２０３は、具体的には、磁気ディスク装置や光ディスク装置等のデータベース装置によって実現される。データベース２０３は、利用者ＩＤに対応付けて、利用者の運動メニュー、運動メニューに対したアプリケーションプログラムを示す情報、利用者の運動後の生体情報の予測値（例えば、体重、血圧値、脈拍数）を記憶する。また、データベース２０３は、携帯端末１００から随時受信する運動後の実生体情報（例えば、体重、血圧値、脈拍数）や利用者の運動量を、利用者ＩＤに対応付けて記憶する。
【００３８】
メール受信手段２０４は、具体的には、プログラムに従って動作する情報処理装置のＣＰＵ及びネットワークインタフェース部によって実現される。メール受信手段２０４は、携帯端末１００から、通信ネットワーク３００を介して電子メールを随時受信する機能を備える。
【００３９】
比較手段２０５は、具体的には、プログラムに従って動作する情報処理装置のＣＰＵによって実現される。比較手段２０５は、メール受信手段２０４が受信した電子メールに含まれる生体情報（実生体情報）と、データベース２０３が記憶する生体情報の予測値とを比較する機能を備える。本実施形態では、比較手段２０５は、実生体情報（すなわち、運動後に測定した利用者の生体情報の測定値）と生体情報の予測値との差が所定値を超えるか否かを判定する。そして、比較手段２０５は、所定値を超えると判定すると、実生体情報の値が異常であると判定する。
【００４０】
報知メール／変更情報生成手段２０６は、具体的には、プログラムに従って動作する情報処理装置のＣＰＵによって実現される。報知メール／変更情報生成手段２０６は、比較手段２０５が実生体情報の値が異常であると判定したときに、所定のアラームを報知する旨の報知メールを生成する機能を備える。
【００４１】
また、報知メール／変更情報生成手段２０６は、比較手段２０５が実生体情報の値が異常であると判定したときに、携帯端末１００が搭載するアプリケーションプログラム（利用者の運動メニューに対応したアプリケーションプログラム）の設定変更を指示する変更情報を生成する機能を備える。例えば、報知メール／変更情報生成手段２０６は、携帯端末１００が搭載するアプリケーションプログラムに設定されている運動量（例えば、運動時間や、上下方向／左右方向への動作回数を示す値）の変更値を含む変更情報を生成する。
【００４２】
報知メール／変更情報送信手段２０７は、具体的には、プログラムに従って動作する情報処理装置のＣＰＵ及びネットワークインタフェース部によって実現される。報知メール／変更情報送信手段２０７は、報知メール／変更情報生成手段２０６が生成した報知メールや変更情報を、通信ネットワーク３００を介して、携帯端末１００に送信する機能を備える。
【００４３】
なお、本実施形態において、サーバ装置２００の記憶装置（図示せず）は、利用者の健康を維持／管理するための各種プログラムを記憶している。例えば、サーバ装置２００の記憶装置は、コンピュータに、運動後に測定した利用者の生体情報の測定値と、予め予測した利用者の運動後の生体情報の予測値との差が所定値を超えるか否かを判定する処理を実行させるための健康管理用プログラムを記憶している。
【００４４】
次に、動作について説明する。図５は、健康管理システムが実行する処理例を示す流れ図である。利用者は、スポーツクラブによる健康管理サービスの提供を受ける場合、まず、携帯端末１００を用いて、利用したい運動メニューに対応するアプリケーションプログラムのダウンロード操作を行うとともに、登録情報の登録操作を行う。すると、携帯端末１００は、利用者の操作に従って、ダウンロード要求及び登録情報を、通信ネットワーク３００を介してサーバ装置２００に送信する。
【００４５】
サーバ装置２００は、携帯端末１００からダウンロード要求を受信すると、ダウンロード要求されたアプリケーションプログラムを、通信ネットワーク３００を介して携帯端末１００に送信する。携帯端末１００は、通信ネットワーク３００を介して、アプリケーションプログラムをサーバ装置２００からダウンロードし記憶部１１０に格納する（ステップＳ１０１）。
【００４６】
なお、ダウンロードの際に、サーバ装置２００は、携帯端末１００から受信した登録情報を、利用者ＩＤに対応付けてデータベース２０３に記憶させる。また、サーバ装置２００は、受信した登録情報に基づいて利用者の運動後の生体情報の予測値を算出し、利用者ＩＤに対応付けてデータベース２０３に記憶させる。
【００４７】
次に、運動を開始する際に、利用者は、携帯端末１００を用いて、運動メニューに対応するアプリケーションプログラムを立ち上げ操作を行う。携帯端末１００は、利用者の操作に従って、アプリケーションプログラムを起動する。次いで、携帯端末１００は、利用者の操作に従って、基本情報（例えば、血圧値や体重）を入力する。
【００４８】
次いで、利用者が運動プログラムに従って運動を行うと、携帯端末１００が内蔵するカウンタ（センサ１０９（例えば、加速度センサ））の検出値に基づいて、利用者の運動量（例えば、動作回数）を測定する（ステップＳ１０２）。例えば、携帯端末１００は、センサ１０９の検出値が所定値以上であると判断したことに基づいて、腹筋運動回数やスクワット運動回数、腕立て伏せ回数を算出する。また、例えば、携帯端末１００は、センサ１０９の検出値をランニングの走行距離に換算して求める。
【００４９】
次いで、運動後、利用者は、体重計や血圧計、脈拍計等の計器を用いて、体重や血圧値、脈拍値等の生体情報を計測する。そして、利用者は、携帯端末１００を用いて、運動後の生体情報の入力操作を行う。すると、携帯端末１００は、利用者の操作に従って、運動後の生体情報（実生体情報）を入力する（ステップＳ１０３）。なお、携帯端末１００が血圧計や脈拍計等を内蔵する場合には、携帯端末１００は、これら血圧計や脈拍計が出力する生体情報を入力してもよい。
【００５０】
次いで、携帯端末１００は、ステップＳ１０２で測定した運動量及びステップＳ１０３で入力した生体情報を含む電子メールを自動生成する。そして、携帯端末１００は、自動生成した電子メールを、通信ネットワーク３００を介して、スポーツクラブに設置されるサーバ装置２００に送信する（ステップＳ１０４）。
【００５１】
スポーツクラブのサーバ装置２００は、利用者ＩＤに対応付けて情報管理を行っており、携帯端末１００から送信された電子メール（利用者情報）に基づいて、データベース２０３に格納するデータをアップデートする。具体的には、サーバ装置２００は、携帯端末１００から電子メールと受信すると、受信した電子メールに含まれる生体情報（実生体情報）に基づいて、データベース２０３が格納する実生体情報を更新する（ステップＳ１０５）。
【００５２】
次いで、サーバ装置２００は、利用者に課せられる運動プログラムにより予測される生体情報と、携帯端末１００から受信した生体情報とを比較する。具体的には、サーバ装置２００は、受信した電子メールに含まれる実生体情報と、データベース２０３が記憶する生体情報の予測値との差が所定値を超えるか否かを判定する。そして、サーバ装置２００は、実生体情報と生体情報の予測値との差が所定値を超えると判定すると、実生体情報の値が異常であると判定する（ステップＳ１０６）。
【００５３】
次いで、サーバ装置２００は、ステップＳ１０６で実生体情報の値が異常であると判定した場合には、所定のアラームを報知する旨の報知メールを生成する。また、サーバ装置２００は、ステップＳ１０６で実生体情報の値が異常であると判定した場合には、携帯端末１００が搭載するアプリケーションプログラム（利用者の運動メニューに対応したアプリケーションプログラム）の設定変更を指示する変更情報を生成する（ステップＳ１０７）。
【００５４】
そして、サーバ装置２００は、生成した報知メールや変更情報を、通信ネットワーク３００を介して携帯端末１００に送信する（ステップＳ１０８）。
【００５５】
ステップＳ１０６〜Ｓ１０８において、サーバ装置２００は、例えば、実生体情報としての血圧値や脈拍数の値と予測値との差が所定値を超える場合には、利用者にとって運動量が過剰であると判断する。そして、サーバ装置２００は、例えば、アプリケーションプログラムに設定されている運動時間や動作回数を減少させる変更情報を生成し、携帯端末１００に送信する。
【００５６】
なお、ステップＳ１０６〜Ｓ１０８において、サーバ装置２００は、例えば、実生体情報としての血圧値や脈拍数の値と予測値との差が所定値より少ない場合には、利用者にとって運動量が不足であると判断してもよい、そして、サーバ装置２００は、例えば、アプリケーションプログラムに設定されている運動時間や動作回数を増加させる変更情報を生成し、携帯端末１００に送信するようにしてもよい。
【００５７】
次いで、携帯端末１００は、サーバ装置２００から受信した報知メールに基づいて、利用者の運動後の生体情報の値に異常がある旨を示すアラーム表示を行う（ステップＳ１０９）。また、携帯端末１００は、サーバ装置２００から受信した変更情報に従って、携帯端末１００が搭載する（具体的には、記憶部１１０に記憶する）アプリケーションプログラムの設定を変更する（ステップＳ１１０）。
【００５８】
なお、サーバ装置２００が管理する利用者毎の情報（例えば、運動データや体重の増減等のデータ推移）は、通信ネットワーク３００を介して、利用者の携帯端末１００に対して常時提供される。
【００５９】
具体的には、サーバ装置２００は、携帯端末１００からの要求に応じて、データベース２０３から実生体情報を抽出し、利用者の運動量の推移や体重の増減を求める。また、サーバ装置２００は、求めた運動量の推移や体重の増減を示す情報を、通信ネットワーク３００を介して携帯端末１００に送信する。そして、携帯端末１００は、受信した情報に基づいて、利用者の運動量の推移や体重の増減等のデータ推移を表示する。なお、携帯端末１００に限らず、利用者の自宅に設置するパーソナルコンピュータ等の端末を用いて、利用者の運動量の推移や体重の増減等のデータ推移を確認できるようにしてもよい。
【００６０】
また、利用者は、定期的に、サーバ装置２００を運営するスポーツクラブのトレーナからのアドバイスを受けたり、運動プログラムの変更を相談したりすることも、電子メールや電話（例えば、時間指定サービス）を用いたサービスにより享受できる。
【００６１】
以上に説明したように、本実施形態によれば、サーバ装置２００は、運動後に測定した利用者の生体情報の測定値と、予め予測した利用者の運動後の生体情報の予測値との差が所定値を超えるか否かを判定する。そして、携帯端末１００は、サーバ装置２００が測定値と予測値との差が所定値を超えると判定すると、運動メニューに対応するアプリケーションプログラムの設定を変更する。従って、生体情報の異変を検出したことに基づいてアプリケーションプログラムの設定を変更できるので、忙しい利用者であっても十分に健康管理を行うことができ、利用者の健康に異変を検出した場合に正常に戻すための対策を図ることができる。また、忙しい利用者であっても、トレーナのアドバイスを受けて、いつでも、どこにいても、本格的に運動して健康管理を行うことができる。
【００６２】
次に、本発明による健康管理システムの最小構成について説明する。図６は、健康管理システムの最小の構成例を示すブロック図である。図６に示すように、健康管理システムは、最小の構成要素として、利用者の運動メニューに対応するアプリケーションプログラムを搭載する携帯端末１００と、利用者の健康を管理するための処理を実行するサーバ装置２００とを含む。
【００６３】
また、サーバ装置２００は、運動後に測定した利用者の生体情報の測定値と、予め予測した利用者の運動後の生体情報の予測値との差が所定値を超えるか否かを判定する比較手段２０５を含む。また、携帯端末１００は、比較手段２０５が測定値と予測値との差が所定値を超えると判定すると、アプリケーションプログラムの設定を変更するアプリケーション設定変更手段１５６を含む。
【００６４】
図６に示す最小構成の健康管理装置によれば、忙しい利用者であっても十分に健康管理を行うことができ、利用者の健康に異変を検出した場合に正常に戻すための対策を図ることができる。
【００６５】
なお、本実施形態では、以下の（１）〜（５）に示すような健康管理システムの特徴的構成が示されている。
【００６６】
（１）健康管理システムは、利用者の運動メニューに対応するアプリケーションプログラムを搭載する携帯端末（例えば、携帯端末１００）と、利用者の健康を管理するための処理を実行する健康管理装置（例えば、サーバ装置２００）とを備え、健康管理装置は、運動後に測定した利用者の生体情報の測定値と、予め予測した利用者の運動後の生体情報の予測値との差が所定値を超えるか否かを判定する生体情報判定手段（例えば、比較手段２０５によって実現される）を含み、携帯端末は、生体情報判定手段が測定値と予測値との差が所定値を超えると判定すると、アプリケーションプログラムの設定を変更する設定変更手段（例えば、アプリケーション設定変更手段１５６によって実現される）を含むことを特徴とする。
【００６７】
（２）健康管理システムにおいて、健康管理装置は、生体情報判定手段が測定値と予測値との差が所定値を超えると判定すると、携帯端末が搭載するアプリケーションプログラムの設定の変更を指示するための設定変更指示情報（例えば、変更情報）を生成する設定変更指示情報生成手段（例えば、報知メール／変更情報生成手段２０６によって実現される）と、設定変更指示情報生成手段が生成した設定変更指示情報を、通信ネットワークを介して携帯端末に送信する設定変更指示情報送信手段（例えば、報知メール／変更情報送信手段２０７によって実現される）とを含み、設定変更手段は、健康管理装置から受信した設定変更指示情報に基づいて、アプリケーションプログラムの設定を変更するように構成されていてもよい。
【００６８】
（３）健康管理システムにおいて、健康管理装置は、生体情報判定手段が測定値と予測値との差が所定値を超えると判定すると、所定のアラームを報知することを指示する報知指示情報（例えば、報知メール）を生成する報知指示情報生成手段（例えば、報知メール／変更情報生成手段２０６によって実現される）と、報知指示情報生成手段が生成した報知指示情報を、通信ネットワークを介して携帯端末に送信する報知指示情報送信手段（例えば、報知メール／変更情報送信手段２０７によって実現される）とを含み、携帯端末は、健康管理装置から受信した報知指示情報に基づいて、所定のアラームを報知する報知手段（例えば、アラーム表示手段１５７によって実現される）を含むように構成されていてもよい。
【００６９】
（４）健康管理システムにおいて、携帯端末は、運動後に測定した利用者の生体情報の測定値を取得（例えば、操作部１０８から入力）する測定値取得手段（例えば、生体情報入力手段１５１によって実現される）と、測定値取得手段が取得した測定値を、通信ネットワークを介して健康管理装置に送信する測定値送信手段（例えば、メール送信手段１５４によって実現される）とを含み、健康管理装置は、予め予測した利用者の運動後の生体情報の予測値を記憶する予測値記憶手段（例えば、データベース２０３によって実現される）を含み、生体情報判定手段は、携帯端末から受信した測定値と、予測値記憶手段が記憶する予測値との差が所定値を超えるか否かを判定するように構成されていてもよい。
【００７０】
（５）健康管理システムにおいて、携帯端末は、利用者の運動量を測定する運動量測定手段（例えば、運動量測定手段１５２によって実現される）と、運動量測定手段が測定した運動量を、通信ネットワークを介して健康管理装置に送信する運動量送信手段（例えば、メール送信手段１５４によって実現される）とを含み、健康管理装置は、携帯端末から受信した運動量を蓄積する運動量蓄積手段（例えば、データベース２０３によって実現される）を含むように構成されていてもよい。
【産業上の利用可能性】
【００７１】
本発明は、携帯電話機等の携帯通信端末を利用した健康管理サービスを提供する用途に適用できる。
【図面の簡単な説明】
【００７２】
【図１】本発明による健康管理システムの構成の一例を示すブロック図である。
【図２】携帯端末の構成の一例を示すブロック図である。
【図３】携帯端末の機能構成を示す機能ブロック図である。
【図４】サーバ装置の機能構成を示す機能ブロック図である。
【図５】健康管理システムが実行する処理例を示す流れ図である。
【図６】健康管理システムの最小の構成例を示すブロック図である。
【符号の説明】
【００７３】
１００  携帯端末
１０１  無線通信部
１０２  放送受信部
１０３  カメラ
１０４  送話部
１０５  受話部
１０６  音声処理部
１０７  表示部
１０８  操作部
１０９  センサ
１１０  記憶部
１１１  制御部
１５１  生体情報入力手段
１５２  運動量測定手段
１５３  メール生成手段
１５４  メール送信手段
１５５  報知メール／変更情報受信手段
１５６  アプリケーション設定変更手段
１５７  アラーム表示手段
２００  サーバ装置
２０１  登録情報受信手段
２０２  予測生体情報算出手段
２０３  データベース
２０４  メール受信手段
２０５  比較手段
２０６  報知メール／変更情報生成手段
２０７  報知メール／変更情報送信手段
３００  通信ネットワーク
【図１】
2009169673.tif 000003
【図２】
2009169673.tif 000004
【図３】
2009169673.tif 000005
【図４】
2009169673.tif 000006
【図５】
2009169673.tif 000007
【図６】
2009169673.tif 000008